(57)【要約】【課題】情報記録媒体の表面の汚れを除去する際の除塵性を向上させる。【解決手段】上シャッタ部材７Ｕにおいて情報記録媒体５に対向する対向面のセンタコア１０上の領域ＣＲに凹部を形成するように、センタコア１０上の領域ＣＲよりも外周の領域ＯＲ凹部形成部材２０が設けられており、情報記録媒体５に付着した汚れを払拭する上ライナ８Ｕが凹部形成部材２０上に設けられている。【選択図】  図３
2004273035.tif 000002
【特許請求の範囲】
【請求項１】
上下シェルを備えた扁平なハウジング内に、中心部がセンタコアに固定されたディスク状の情報記録媒体を回転自在に収容してなるディスクカートリッジであって、前記ハウジングが、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に軸支された上シャッタ部材と、前記下シェルに回転可能に軸支された下シャッタ部材とによって構成されてなるディスクカートリッジにおいて、
前記上シャッタ部材が、
前記情報記録媒体に対向する対向面の前記センタコア上の領域に凹部を形成するように、前記センタコア上の領域よりも外周の領域に設けられた凹部形成部材と、
該凹部形成部材上に設けられた、前記情報記録媒体に付着した汚れを払拭する上ライナと
を備えていることを特徴とするディスクカートリッジ。
【請求項２】
前記凹部形成部材が、前記上シャッタ部材に前記上ライナを貼り付けるための接着剤からなることを特徴とする請求項１に記載のディスクカートリッジ。
【請求項３】
前記凹部形成部材が、前記上ライナと一体的に成形された同一の材料からなるものであることを特徴とする請求項１に記載のディスクカートリッジ。
【請求項４】
前記下シェルにおける前記情報記録媒体に対向する対向面に下ライナが設けられており、前記凹部形成部材が、前記ディスクドライブの装填時において前記上ライナから前記情報記録媒体の表面に加えられる圧力と前記下ライナから前記情報記録媒体の表面に加えられる圧力とが略同一になるような厚さを有するものであることを特徴とする請求項１から請求項３のいずれかに記載のディスクカートリッジ。
【請求項５】
上下シェルを備えた扁平なハウジング内に、中心部がセンタコアに固定されたディスク状の情報記録媒体を回転自在に収容してなるディスクカートリッジであって、前記ハウジングが、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に軸支された上シャッタ部材と、前記下シェルに回転可能に軸支された下シャッタ部材とによって構成されてなるディスクカートリッジにおいて、
前記上シャッタ部材および前記下シャッタ部材における前記情報記録媒体と対向する対向面に、前記情報記録媒体の表面に付着した汚れを払拭するライナがそれぞれ設けられており、
前記上シャッタ部材が、前記情報記録媒体に対向する対向面の前記センタコア上の領域と該センタコア上の領域よりも外周の領域との間に、前記センタコア上の領域に凹部を形成するための段部を有し、
該段部が、前記ディスクドライブへの装填時において、前記下シャッタ部材から前記情報記録媒体までの長さと、前記外周の領域における前記対向面から前記情報記録媒体までの長さとが略同一になるような段差を形成するものであることを特徴とするディスクカートリッジ。
【発明の詳細な説明】
【０００１】
【発明の属する技術分野】
本発明は、ディスク状の情報記録媒体を回転可能に収容するディスクカートリッジに関するものである。
【０００２】
【従来の技術】
従来、デジタルカメラ等のモバイル機器においては、記録媒体として例えば「ｃｌｉｋ！（登録商標）」と呼ばれる超小型の磁気ディスクカートリッジが使用されている（たとえば特許文献１、２参照）。ここで、図５は従来の「ｃｌｉｋ！（登録商標）」と呼ばれる超小型の磁気ディスクカートリッジの一例を示す。図５のディスクカートリッジ１は、たとえば幅５０ｍｍ、奥行き５５ｍｍ、厚さ１．９５ｍｍの扁平な金属薄板からなる上下シェル３、４を備えたハウジング内に、４０ＭＢの記憶容量を有する直径約１．８インチ（４６．５ｍｍ）の磁気ディスクからなる情報記録媒体５を回転自在に収容したものである。
【０００３】
この上シェル３と下シェル４には、ディスクドライブの記録再生ヘッドが情報記録媒体５にアクセスするための図示しない開口部が設けられており、下シェル４の中心部には、情報記録媒体５の中心に設けられたセンタコア１０を外部に臨ませるための中心孔４ａが形成されている。また、上下シェル３、４内には開口部を開閉するためのロータリシャッタ７が設けられている。
【０００４】
ロータリシャッタ７は、上シェル３側に回転可能に軸支された上シャッタ部材７Ｕと、下シェル４側に回転可能に軸支された下シャッタ部材７Ｄとからなっている。また、上シャッタ部材７Ｕの情報記録媒体５に対向する対向面には、情報記録媒体５の表面に付着した汚れを払拭するための上ライナ８Ｕが貼り付けられている。同様に、下シャッタ部材７Ｄの情報記録媒体５に対向する対向面には下ライナ８Ｄが貼り付けられている。
【０００５】
ここで、ディスクドライブ装填時における下シャッタ部材７Ｄと情報記録媒体５との下隙間ＤＤは、下ライナ８Ｄから情報記録媒体５に除塵に必要な圧力が加わるようにたとえば０．２８５ｍｍ〜０．３２３ｍｍになるように形成されている。一方、ディスクドライブ装填時における上シャッタ部材７Ｕと情報記録媒体５との上隙間ＵＤは、たとえば０．４５ｍｍ〜０．４５１ｍｍというように下隙間ＤＤよりも広く形成されている。これは、上ライナ８Ｕの除塵性よりも、ディスクカートリッジ１がディスクドライブに装填される際、ディスクドライブ側の回転駆動部によりセンタコア１０が上シャッタ部材７Ｕ側に持ち上げられたとき、その圧力で情報記録媒体５に傷が付くのを防止することを優先し、上シェル３側にセンタコア１０の逃げ空間を設けたためである。
【０００６】
【特許文献１】
米国特許第６１３３５４４号公報
【０００７】
【特許文献２】
米国特許第５９９５３４６号公報
【０００８】
【発明が解決しようとする課題】
しかし、上述のように、傷が付かないことを優先して上シャッタ部材７Ｕと情報記録媒体５との上隙間ＵＤを定めたとき、上ライナ８Ｕが除塵を行うのに必要な圧力を情報記録媒体５に加えることができないため、情報記録媒体５の上側に付着した汚れ等が落ちにくくなってしまうという問題がある。
【０００９】
そこで、本発明は、情報記録媒体に対する除塵性を向上させることができるディスクカートリッジを提供することを目的とするものである。
【００１０】
【課題を解決するための手段】
本発明は、上下シェルを備えた扁平なハウジング内に、中心部がセンタコアに固定されたディスク状の情報記録媒体を回転自在に収容してなるディスクカートリッジであって、前記ハウジングが、前記ディスクの表面にアクセスさせるための開口部と、該開口部を開閉するロータリシャッタとを備え、該ロータリシャッタが、前記上シェルに回転可能に軸支された上シャッタ部材と、前記下シェルに回転可能に軸支された下シャッタ部材とによって構成されてなるディスクカートリッジにおいて、前記上シャッタ部材が、前記情報記録媒体に対向する対向面の前記センタコア上の領域に凹部を形成するように、前記センタコア上の領域よりも外周側に設けられた凹部形成部材と、該凹部形成部材上に設けられた、前記情報記録媒体に付着した汚れを払拭する上ライナとを備えていることを特徴とするものである。
【００１１】
ここで、「センタコア上の領域」は、上シャッタ部材におけるセンタコアに対向する領域を含んでいればよく、センタコアに対向する領域の外縁を含む領域であってもよい。
【００１２】
また、凹部形成部材は、対向面におけるセンタコア上の領域に凹部を形成するものであればよく、たとえば上ライナを上シャッタ部材に貼り付けるための接着剤からなっていてもよいし、上ライナと一体的に成形された同一の材料からなるものであってもよい。
【００１３】
さらに、下シェルにおける情報記録媒体に対向する対向面に下ライナが設けられており、凹部形成部材が、ディスクドライブの装填時において上ライナから情報記録媒体の表面に加えられる圧力と下ライナから情報記録媒体の表面に加えられる圧力とが略同一になるような厚さを有するものであることが好ましい。
【００１４】
また、本発明のディスクカートリッジは、上下シェルを備えた扁平なハウジング内に、中心部がセンタコアに固定されたディスク状の情報記録媒体を回転自在に収容してなるディスクカートリッジであって、前記ハウジングが、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に軸支された上シャッタ部材と、前記下シェルに回転可能に軸支された下シャッタ部材とによって構成されてなるディスクカートリッジにおいて、前記上シャッタ部材および前記下シャッタ部材における前記情報記録媒体と対向する対向面に、前記情報記録媒体の表面に付着した汚れを払拭するライナがそれぞれ設けられており、前記上シャッタ部材が、前記情報記録媒体に対向する対向面の前記センタコア上の領域と該センタコア上の領域よりも外周の領域との間に、前記センタコア上の領域に凹部を形成するための段部を有し、該段部が、前記ディスクドライブへの装填時において、前記下シャッタ部材から前記情報記録媒体までの長さと、前記外周の領域における前記対向面から前記情報記録媒体までの長さとが略同一になるような段差を形成するものであることを特徴とするものである。
【００１５】
【発明の効果】
本発明のディスクカートリッジによれば、上シャッタ部材の対向面におけるセンタコア上の領域よりも外周の領域に凹部形成部材を設け、凹部形成部材上に上ライナを設けることにより、センタコアがディスクドライブにより上シャッタ部材側に持ち上げられたときにセンタコアが凹部内に入り込み、センタコアと上シャッタ部材に情報記録媒体が挟まれることにより情報記録媒体の表面に傷が付くのを防止するとともに、凹部形成部材上に設けられた上ライナにより情報記録媒体に汚れを除去するのに十分な圧力をかけることができるようになり、ディスクカートリッジにおける除塵性を向上させることができる。
【００１６】
なお、凹部形成部材が、上シャッタ部材に上ライナを貼り付けるための接着剤からなるようにすれば、上シャッタ部材に塗布していた接着剤を厚めに塗りその上に上ライナを貼り付けることにより凹部形成部材を設けることができるため、凹部の形成を容易に行うことができる。
【００１７】
また、凹部形成部材が、上ライナと一体的に成形された同一の材料からなるものであれば、上ライナを上シャッタ部材に設けるだけでセンタコア上の領域に凹部が形成されるようになるため、凹部の形成を容易に行うことができる。
【００１８】
さらに、凹部形成部材が、上ライナと情報記録媒体の表面との長さが、下ライナと情報記録媒体の表面との隙間の長さと略同一になるような厚さを有するようにすれば、上ライナから情報記録媒体に加えられる圧力と下ライナから情報記録媒体に加えられる圧力は略同一となるため、情報記録媒体が回転したときの面振れを防止することができる。
【００１９】
また、本発明のディスクカートリッジによれば、上シャッタ部材のセンタコア上の領域とその外周の領域との間にセンタコア上の領域に凹部を形成するような段部を有し、段部が、下シャッタ部材から情報記録媒体までの長さと、外周の領域の対向面から情報記録媒体までの長さとが略同一になるような段差を形成することにより、センタコアがディスクドライブにより上シャッタ部材側に持ち上げられたときにセンタコアが凹部内に入り込み、センタコアと上シャッタ部材に情報記録媒体が挟まれることにより情報記録媒体の表面に傷が付くのを防止するとともに、凹部形成部材上に設けられた上ライナにより情報記録媒体に汚れを除去するのに十分な圧力をかけることができるようになり、ディスクカートリッジにおける除塵性を向上させることができる。
【００２０】
【発明の実施の形態】
以下、本発明のディスクカートリッジの実施の形態について図面を参照して詳細に説明する。図１は本発明の磁気ディスクカートリッジの第１の実施の形態を示す図である。なお、図１（ａ）、（ｂ）、（ｃ）にそのロータリシャッタ７が閉状態にある平面図、側面図および底面図を、図２（ａ）、（ｂ）にロータリシャッタ７が開状態にある平面図および底面図をそれぞれ示している。
【００２１】
このディスクカートリッジ１は、たとえば指等によりディスクドライブに押し込むための押込み部２ａを含む樹脂製のフレーム２と、金属薄板からなる上下シェル３、４とによって構成された、幅５０ｍｍ、奥行き５５ｍｍ、厚さ１．９５ｍｍの扁平なハウジング内に、直径約１．８インチ（４６．５ｍｍ）の磁気ディスクである情報記録媒体５を回転自在に収容している。また、下シェル４の中心部には情報記録媒体５の中心に設けられたセンタコア１０を外部に臨ませるための中心孔４ａが形成されている。
【００２２】
上シェル３および下シェル４には、このカートリッジ１が挿入態様で装填されるディスクドライブが備えている磁気ヘッドを情報記録媒体５の表面にアクセスさせるためのＶ字状の開口部６が形成されており、上下シェル３、４内には開口部６を開閉するロータリシャッタ７が設けられている。
【００２３】
ロータリシャッタ７は略円盤状に形成されており、ハウジングに形成された開口部６と略同一形状の開口７ａを有する。また、ロータリシャッタ７には下シェル４側に突出したシャッタノブ７ｂが設けられており、下シェル４にはシャッタノブ７ｂが挿入されるロータリシャッタ７と同心的な円弧状溝４ｂとが形成されている。そして、図１に示すようにロータリシャッタ７が開口部６を閉じた状態においてシャッタノブ７ｂが円弧状溝４ｂに沿って移動したとき、図２に示すように、ロータリシャッタ７の開口７ａがハウジングの開口部６の部位に位置し情報記録媒体５が露出するようになっている。
【００２４】
図３は図１のディスクカートリッジの断面図を示している。図３において、ロータリシャッタ７は互いに係合された上下のシャッタ部材７Ｕ、７Ｄからなり、上シャッタ部材７Ｕは上シェル３に、下シャッタ部材７Ｄは下シェル４にそれぞれ回転可能に軸支されている。そして、情報記録媒体５と上下シャッタ部材７Ｕ、７Ｄとの間にはそれぞれ上下ライナ８Ｕ、８Ｄが介挿されている。
【００２５】
ここで、下ライナ８Ｄは、下シャッタ部材７Ｄの情報記録媒体５に対向する下対向面７Ｄｆに貼り付けられており、下ライナ８Ｄと情報記録媒体５との下隙間ＤＤは、情報記録媒体５に付着した汚れを払拭するのに適した圧力が加わるような長さになっている。
【００２６】
一方、上ライナ８Ｕは凹部形成部材２０を介して上シャッタ部材７Ｕに貼り付けられている。この凹部形成部材２０は、上ライナ８Ｕを上シャッタ部材７Ｕに貼り付けるための接着剤からなっており、上シャッタ部材７Ｕの情報記録媒体５に対向する上対向面７Ｕｆのセンタコア１０上の領域ＣＲに凹部２１を形成するように、センタコア１０上の領域ＣＲよりも外周の領域ＯＲに設けられている。
【００２７】
この凹部形成部材２０は、たとえば略０．１３ｍｍ〜略０．１７ｍｍの厚さＤを有しており、上ライナ８Ｕと情報記録媒体５との上隙間ＵＤの長さが、下ライナ８Ｄと情報記録媒体５との下隙間の長さと略同一になるように形成されている。よって、上ライナ８Ｕにおいても、上隙間ＵＤが情報記録媒体５に付着した汚れを払拭するのに適した圧力が加わるような幅になっており、情報記録媒体５の表裏ともに除塵性の向上を図ることができる。同時に、センタコア１０上の領域ＣＲには凹部２１が形成されているため、ディスクカートリッジ１がディスクドライブに装填される際に、センタコア１０が上シャッタ部材７Ｕ側に持ち上げられたとき、情報記録媒体５が上シャッタ部材７Ｕに接触することにより傷が付くことを防止することができる。
【００２８】
さらに、上述のように上隙間ＵＤと下隙間ＤＤとが略同一になるように、凹部形成部材２０の厚さが設定されているため、情報記録媒体５が回転したときに面振れが生じるのを防止して、情報記録媒体５が安定した状態で情報の記録再生を行うことができる。
【００２９】
図４は本発明のディスクカートリッジの第２の実施の形態を示す模式図である。なお、図４のディスクカートリッジ３０、４０において、図１のディスクカートリッジ１と同一の構成を有する部位には同一の符号を付してその説明を省略する。図４のディスクカートリッジ３０が図１のディスクカートリッジ１と異なる点は、凹部形成部材の構造である。
【００３０】
図４（ａ）のディスクカートリッジ３０において、凹部形成部材３１は、上ライナ８Ｕと同一の材料からなる上ライナ８Ｕと一体的に成形されている。すなわち、凹部形成部材３１と上ライナ８Ｕは、外周の領域ＯＲに貼り付けられた下ライナ８Ｄよりも０．１３ｍｍ〜０．１７ｍｍだけ厚いライナを貼り付けることにより形成されている。これにより、凹部形成部材３１に上ライナ８Ｕを貼り付ける工程を不要にすることができ、凹部２１の形成を容易に行うことができる。
【００３１】
つまり、従来のディスクカートリッジ１において、センタコア上の領域ＣＲにおいて、抜け止め部材１１の周辺部位には上ライナ８Ｕが貼られていない領域があり、上シェル３と上ライナ８Ｕとの間に段差が生じている。しかし、この段差はセンタコア１０上の領域ＣＲ内に形成されており、センタコア１０の逃げ空間を作るものとしては作用していない。したがって、従来のディスクカートリッジ１においては、上隙間ＵＤを大きく取る必要がある。一方、図４（ａ）に示すディスクカートリッジ１においては、センタコア１０上の領域ＣＲの外周側に段差を設け、この段差によりセンタコア上の領域ＣＲにセンタコア１０の逃げ空間となる凹部２１が形成されるようになっている。よって、ディスクカートリッジ１がディスクドライブに装填される際、センタコア１０が上シェル３側に持ち上がったときであっても、情報記録媒体５に傷が付くのを防止することができる。
【００３２】
また、図４（ｂ）に示すディスクカートリッジ４０において、上シャッタ部材７Ｕを折り曲げることにより、センタコア１０上の領域ＣＲと外周の領域ＯＲとの間にテーパ状の段部４１が設けられている。段部４１は、下シャッタ部材の対向面から情報記録媒体５までの長さと、外周の領域ＣＲにおける対向面から情報記録媒体までの長さとが略同一になるような段差を有し、たとえば略０．１３ｍｍ〜略０．１７ｍｍの段差を有している。このように、上シャッタ部材７Ｕに段部４１を形成することにより、凹部形成部材を別途設けずにセンタコア１０上の領域ＣＲに凹部を形成することができ、ディスクカートリッジ４０がディスクドライブに装填される際、センタコア１０が上シェル３側に持ち上がったときであっても、情報記録媒体５に傷が付くのを防止するとともに、情報記録媒体５の除塵性を向上させることができる。なお、この段部４１は、外周の領域ＯＲ内であって、情報記録媒体５のデータエリア外に設けられていることが好ましい。
【００３３】
本発明の各実施の形態によれば、図３のように、上シャッタ部材７Ｕの対向面におけるセンタコア１０上の領域ＣＲよりも外周の領域ＯＲに凹部形成部材２０を設け、凹部形成部材２０上に上ライナ８Ｕを設けることにより、センタコア１０がディスクドライブにより上シャッタ部材７Ｕ側に持ち上げられたときに、凹部形成部材２０により形成された凹部２１により情報記録媒体５に傷が付くのを防止するとともに、凹部形成部材２０上に設けられた上ライナ８Ｕにより情報記録媒体５の汚れを除去するのに十分な圧力をかけることができるようになり、ディスクカートリッジ１の除塵性を向上させることができる。
【００３４】
また、凹部形成部材２０が、上シャッタ部材７Ｕに上ライナを貼り付けるための接着剤からなる構成にすれば、上シャッタ部材７Ｕに塗布していた接着剤を厚めに塗りその上に上ライナ８Ｕを貼り付けることにより凹部形成部材３１を設けることができるため、容易にセンタコア１０上の領域ＣＲに凹部２１を設けることができる。
【００３５】
さらに、図４（ａ）に示すように、凹部形成部材３１が、上ライナ８Ｕと一体的に成形された同一の材料からなるものであれば、上ライナ８Ｕを上シャッタ部材７Ｕに設けるだけでセンタコア１０上の領域ＣＲに凹部が形成されるようになるため、容易にセンタコア１０上の領域ＣＲに凹部２１を設けることができる。また、一体的に形成された上ライナと凹部形成部材３１とは柔らかい材料からなっているため、センタコア１０上の領域ＣＲとその外周の領域ＯＲとの間に形成される凹部形成部材３１および上ライナ８Ｕのエッジ部分に情報記録媒体５が当たっても、情報記録媒体５に傷が付くのを防止することができる。
【００３６】
また、図４（ｂ）に示すように、上シャッタ部材７Ｕに段部４１を形成することにより、凹部形成部材を別途設けずにセンタコア１０上の領域ＣＲに凹部を形成することができ、ディスクカートリッジ４０がディスクドライブに装填される際、センタコア１０が上シェル３側に持ち上がったときであっても、情報記録媒体５に傷が付くのを防止するとともに、情報記録媒体５の除塵性を向上させることができる。
【００３７】
本発明の実施の形態は、上記実施の形態に限定されない。たとえば、図３において凹部形成部材２０は接着剤からなっている場合について例示しているが、たとえば両面テープからなっていてもよいし、上対向面に貼り付けたプラスチック部材等からなっていてもよい。
【図面の簡単な説明】
【図１】本発明のディスクカートリッジの好ましい実施の形態におけるロータリシャッタが閉状態にある状態を示す平面図および底面図
【図２】本発明のディスクカートリッジの好ましい実施の形態におけるロータリシャッタが開状態にある状態を示す平面図および底面図
【図３】図３のディスクカートリッジにおける上下シェルとロータリシャッタの取り付け構造の実施の形態を示す模式図
【図４】本発明のディスクカートリッジの別の実施の形態を示す模式図
【図５】従来のディスクカートリッジの一例を示す模式図
【符号の説明】
１、３０、４０  ディスクカートリッジ
３      上シェル
４      下シェル
７      ロータリシャッタ
７Ｕ    上シャッタ部材
７Ｄ    下シャッタ部材
８Ｕ    上ライナ
８Ｄ    下ライナ
１０    センタコア
２０、３１      凹部形成部材
２１    凹部
３０    ディスクカートリッジ
ＣＲ    センタコア上の領域
ＤＤ    下隙間
ＯＲ    外周の領域
ＵＤ    上隙間
【図１】
2004273035.tif 000003
【図２】
2004273035.tif 000004
【図３】
2004273035.tif 000005
【図４】
2004273035.tif 000006
【図５】
2004273035.tif 000007